(57)【要約】  本発明はネットワークスライスの構成方法及び装置、コンピュータ記憶媒体を開示し、前記方法は、コアネットワークが端末のネットワークスライス契約情報を取得することと、前記コアネットワークが前記ネットワークスライス契約情報に基づいて、前記端末にネットワークスライス情報を構成することと、前記コアネットワークが前記端末に、構成されたネットワークスライス情報を送信することと、を含む。
2021511688.tif 000002
【特許請求の範囲】
【請求項１】
コアネットワークが端末のネットワークスライス契約情報を取得することと、
前記コアネットワークが前記ネットワークスライス契約情報に基づいて、前記端末にネットワークスライス情報を構成することと、
前記コアネットワークが前記端末に、構成されたネットワークスライス情報を送信することと、を含むネットワークスライスの構成方法。
【請求項２】
前記コアネットワークが前記端末のネットワークスライス契約情報を取得していない場合、前記端末にネットワークスライス情報を送信しないことを更に含む請求項１に記載の方法。
【請求項３】
前記コアネットワークが前記端末のネットワークスライス契約情報を取得していない場合、前記端末にデフォルトのネットワークスライス情報を送信することを更に含む請求項１に記載の方法。
【請求項４】
前記コアネットワークが前記端末のネットワークスライス契約情報を取得していない場合、前記コアネットワークのプリセットポリシーに基づいて、前記端末にネットワークスライス情報を構成することを更に含む請求項１に記載の方法。
【請求項５】
前記コアネットワークが前記端末から送信された応答メッセージを受信した場合、前記コアネットワークが前記応答メッセージに基づいて前記端末のサポートしないネットワークスライス情報を決定し、前記応答メッセージには前記端末のサポートしないネットワークスライス情報が含まれることと、
前記コアネットワークが前記端末のサポートしないネットワークスライス情報を記憶することと、
前記コアネットワークが再び前記端末にネットワークスライス情報を構成する場合、前記端末のサポートしないネットワークスライス情報を排除して前記端末にネットワークスライス情報を構成することと、を更に含む請求項１に記載の方法。
【請求項６】
前記コアネットワークが前記端末から送信された応答メッセージを受信した場合、前記コアネットワークが、前記応答メッセージに基づいて前記端末のネットワークスライス契約情報にマッチングしないネットワークスライス情報を決定し、前記応答メッセージには前記端末のネットワークスライス契約情報にマッチングしないネットワークスライス情報が含まれることと、
前記コアネットワークは前記端末のネットワークスライス契約情報にマッチングしないネットワークスライス情報を記憶することと、
前記コアネットワークが再び前記端末にネットワークスライス情報を構成する場合、前記端末のネットワークスライス契約情報にマッチングしないネットワークスライス情報を排除して前記端末にネットワークスライス情報を構成することと、を更に含む請求項１に記載の方法。
【請求項７】
端末がコアネットワークから送信されたネットワークスライス情報を受信することと、
前記端末が、前記コアネットワークから送信されたネットワークスライス情報が参照ネットワークスライス情報にマッチングするかどうかを決定することと、
前記コアネットワークから送信されたネットワークスライス情報が参照ネットワークスライス情報にマッチングしない場合、前記端末が前記コアネットワークに応答メッセージを送信し、前記応答メッセージには指示情報が含まれ、前記指示情報は、前記コアネットワークから送信されたネットワークスライス情報が参照ネットワークスライス情報にマッチングしないことを示すことに用いられることと、を含むネットワークスライスの構成方法。
【請求項８】
前記応答メッセージには、更に前記端末のサポートしないネットワークスライス情報又は前記端末のネットワークスライス契約情報にマッチングしないネットワークスライス情報が含まれる請求項７に記載の方法。
【請求項９】
前記端末が、前記コアネットワークから送信されたネットワークスライス情報が参照ネットワークスライス情報にマッチングするかどうかを決定することは、
前記端末が、前記コアネットワークから送信されたネットワークスライス情報が前記端末のサポートするネットワークスライス情報にマッチングするかどうかを決定することを含み、
それに対応して、前記指示情報は、前記コアネットワークから送信されたネットワークスライス情報が前記端末のサポートするネットワークスライス情報にマッチングしないことを示すことに用いられる請求項７に記載の方法。
【請求項１０】
前記端末が、前記コアネットワークから送信されたネットワークスライス情報が参照ネットワークスライス情報にマッチングするかどうかを決定することは、
前記端末が、前記コアネットワークから送信されたネットワークスライス情報が前記端末のネットワークスライス契約情報にマッチングするかどうかを決定することを含み、
それに対応して、前記指示情報は、前記コアネットワークから送信されたネットワークスライス情報が前記端末のネットワークスライス契約情報にマッチングしないことを示すことに用いられる請求項７に記載の方法。
【請求項１１】
端末がコアネットワークから送信されたネットワークスライス情報を受信することと、
前記端末が、前記コアネットワークから送信されたネットワークスライス情報が参照ネットワークスライス情報にマッチングするかどうかを決定することと、
前記コアネットワークから送信されたネットワークスライス情報が参照ネットワークスライス情報にマッチングしない場合、前記参照ネットワークスライス情報にマッチングしないネットワークスライス情報を記憶することと、
前記端末が前記コアネットワークにネットワークスライス要求メッセージを送信する場合、前記ネットワークスライス要求メッセージにおいて、要求されるネットワークスライス情報から、前記参照ネットワークスライス情報にマッチングしないネットワークスライス情報を排除する必要があることを指示することと、を含むネットワークスライスの構成方法。
【請求項１２】
前記端末が、前記コアネットワークから送信されたネットワークスライス情報が参照ネットワークスライス情報にマッチングするかどうかを決定することは、
前記端末が、前記コアネットワークから送信されたネットワークスライス情報が前記端末のサポートするネットワークスライス情報にマッチングするかどうかを決定することを含み、
それに対応して、前記ネットワークスライス要求メッセージにおいて、要求されるネットワークスライス情報から、前記端末のサポートするネットワークスライス情報にマッチングしないネットワークスライス情報を排除する必要があることを指示する請求項１１に記載の方法。
【請求項１３】
前記端末が、前記コアネットワークから送信されたネットワークスライス情報が参照ネットワークスライス情報にマッチングするかどうかを決定することは、
前記端末が、前記コアネットワークから送信されたネットワークスライス情報が前記端末のネットワークスライス契約情報にマッチングするかどうかを決定することを含み、
それに対応して、前記ネットワークスライス要求メッセージにおいて、要求されるネットワークスライス情報から、前記端末のネットワークスライス契約情報にマッチングしないネットワークスライス情報を排除する必要があることを指示する請求項１１に記載の方法。
【請求項１４】
端末のネットワークスライス契約情報を取得するように設定される取得ユニットと、
前記ネットワークスライス契約情報に基づいて、前記端末にネットワークスライス情報を構成するように設定される構成ユニットと、
構成されたネットワークスライス情報を前記端末に送信するように設定される送信ユニットと、を備えるネットワークスライスの構成装置。
【請求項１５】
前記送信ユニットは更に、前記コアネットワークが前記端末のネットワークスライス契約情報を取得していない場合、前記端末にネットワークスライス情報を送信しないように設定される請求項１４に記載の装置。
【請求項１６】
前記送信ユニットは更に、前記コアネットワークが前記端末のネットワークスライス契約情報を取得していない場合、前記端末にデフォルトのネットワークスライス情報を送信するように設定される請求項１４に記載の装置。
【請求項１７】
前記構成ユニットは更に、前記コアネットワークが前記端末のネットワークスライス契約情報を取得していない場合、前記コアネットワークのプリセットポリシーに基づいて、前記端末にネットワークスライス情報を構成するように設定される請求項１４に記載の装置。
【請求項１８】
前記端末から送信された、前記端末のサポートしないネットワークスライス情報が含まれる応答メッセージを受信するように設定される受信ユニットと、
前記応答メッセージに基づいて、前記端末のサポートしないネットワークスライス情報を決定するように設定される決定ユニットと、
前記端末のサポートしないネットワークスライス情報を記憶するように設定される記憶ユニットと、を更に備え、
前記構成ユニットは更に、再び前記端末にネットワークスライス情報を構成する場合、前記端末のサポートしないネットワークスライス情報を排除して前記端末にネットワークスライス情報を構成するように設定される請求項１４に記載の装置。
【請求項１９】
前記端末から送信された、前記端末のネットワークスライス契約情報にマッチングしないネットワークスライス情報が含まれる応答メッセージを受信するように設定される受信ユニットと、
前記応答メッセージに基づいて、前記端末のネットワークスライス契約情報にマッチングしないネットワークスライス情報を決定するように設定される決定ユニットと、
前記端末のネットワークスライス契約情報にマッチングしないネットワークスライス情報を記憶するように設定される記憶ユニットと、を更に備え、
前記構成ユニットは更に、再び前記端末にネットワークスライス情報を構成する場合、前記端末のネットワークスライス契約情報にマッチングしないネットワークスライス情報を排除して前記端末にネットワークスライス情報を構成するように設定される請求項１４に記載の装置。
【請求項２０】
コアネットワークから送信されたネットワークスライス情報を受信するように設定される受信ユニットと、
前記コアネットワークから送信されたネットワークスライス情報が参照ネットワークスライス情報にマッチングするかどうかを決定するように設定される判断ユニットと、
前記コアネットワークから送信されたネットワークスライス情報が参照ネットワークスライス情報にマッチングしない場合、前記端末が前記コアネットワークに応答メッセージを送信するように設定され、前記応答メッセージには指示情報が含まれ、前記指示情報は前記コアネットワークから送信されたネットワークスライス情報が参照ネットワークスライス情報にマッチングしないことを示すことに用いられる応答ユニットと、を備えるネットワークスライスの構成装置。
【請求項２１】
前記応答メッセージには、更に前記端末のサポートしないネットワークスライス情報又は前記端末のネットワークスライス契約情報にマッチングしないネットワークスライス情報が含まれる請求項２０に記載の装置。
【請求項２２】
前記判断ユニットは具体的に、前記コアネットワークから送信されたネットワークスライス情報が前記端末のサポートするネットワークスライス情報にマッチングするかどうかを決定するように設定され、
それに対応して、前記指示情報は、前記コアネットワークから送信されたネットワークスライス情報が前記端末のサポートするネットワークスライス情報にマッチングしないことを示すことに用いられる請求項２０に記載の装置。
【請求項２３】
前記判断ユニットは具体的に、前記コアネットワークから送信されたネットワークスライス情報が前記端末のネットワークスライス契約情報にマッチングするかどうかを決定するように構成され、
それに対応して、前記指示情報は、前記コアネットワークから送信されたネットワークスライス情報が前記端末のネットワークスライス契約情報にマッチングしないことを示すことに用いられる請求項２０に記載の装置。
【請求項２４】
コアネットワークから送信されたネットワークスライス情報を受信するように設定される受信ユニットと、
前記コアネットワークから送信されたネットワークスライス情報が参照ネットワークスライス情報にマッチングするかどうかを決定するように設定される判断ユニットと、
前記コアネットワークから送信されたネットワークスライス情報が参照ネットワークスライス情報にマッチングしない場合、前記参照ネットワークスライス情報にマッチングしないネットワークスライス情報を記憶するように設定される記憶ユニットと、
前記コアネットワークにネットワークスライス要求メッセージを送信する場合、前記ネットワークスライス要求メッセージにおいて、要求されるネットワークスライス情報から、前記参照ネットワークスライス情報にマッチングしないネットワークスライス情報を排除する必要があることを指示するように設定される要求ユニットと、を備えるネットワークスライスの構成装置。
【請求項２５】
前記判断ユニットは具体的に、前記コアネットワークから送信されたネットワークスライス情報が前記端末のサポートするネットワークスライス情報にマッチングするかどうかを決定するように設定され、
それに対応して、前記ネットワークスライス要求メッセージにおいて、要求されるネットワークスライス情報から、前記端末のサポートするネットワークスライス情報にマッチングしないネットワークスライス情報を排除する必要があることを指示する請求項２４に記載の装置。
【請求項２６】
前記判断ユニットは具体的に、前記コアネットワークから送信されたネットワークスライス情報が前記端末のネットワークスライス契約情報にマッチングするかどうかを決定するように設定され、
それに対応して、前記ネットワークスライス要求メッセージにおいて、要求されるネットワークスライス情報から、前記端末のネットワークスライス契約情報にマッチングしないネットワークスライス情報を排除する必要があることを指示する請求項２４に記載の装置。
【請求項２７】
コンピュータ記憶媒体であって、
コンピュータ実行可能命令が記憶され、該コンピュータ実行可能命令がプロセッサにより実行されるとき、請求項１〜６のいずれか１項に記載の方法ステップ、又は請求項７〜１０のいずれか１項に記載の方法ステップ、又は請求項１１〜１３のいずれか１項に記載の方法ステップを実現するコンピュータ記憶媒体。
【発明の詳細な説明】
【技術分野】
【０００１】
本発明は移動通信技術分野に関し、特にネットワークスライスの構成方法及び装置、コンピュータ記憶媒体に関する。
【背景技術】
【０００２】
第５世代移動通信（５Ｇ、５ｔｈ  Ｇｅｎｅｒａｔｉｏｎ）技術は将来の発展傾向であり、５Ｇシステムにおいて、ネットワークスライス技術は非常に重要な技術の１つであり、各ネットワーク事業者及び機器事業者はいずれもネットワークスライスが５Ｇシステムの理想的なネットワークアーキテクチャであると見なしている。
【０００３】
ネットワークスライス技術によって事業者は１つのハードウェアインフラから複数の仮想エンドツーエンドネットワーク、即ちネットワークスライスを分割することができる。各ネットワークスライスは論理的に分離しているため、様々なタイプのサービスの様々な特徴要件に適合する。各ネットワークスライスに対して、仮想サーバ、ネットワーク帯域幅、サービス品質等の専用リソースはいずれも十分に確保されており、また、ネットワークスライス同士が互いに分離しているため、１つのネットワークスライスのエラー又は故障は他のネットワークスライスの通信に影響を与えることはない。
【０００４】
上記ネットワークスライス技術に基づいて、端末がより良いネットワークサービスを取得するよう、どのように端末にネットワークスライスを構成するかは解決の待たれる問題である。
【発明の概要】
【発明が解決しようとする課題】
【０００５】
上記技術課題を解決するために、本発明の実施例はネットワークスライスの構成方法及び装置、コンピュータ記憶媒体を提供する。
【課題を解決するための手段】
【０００６】
本発明の実施例に係るネットワークスライスの構成方法は、
コアネットワークが端末のネットワークスライス契約情報を取得することと、
前記コアネットワークが前記ネットワークスライス契約情報に基づいて、前記端末にネットワークスライス情報を構成することと、
前記コアネットワークが前記端末に、構成されたネットワークスライス情報を送信することと、を含む。
【０００７】
本発明の実施例では、前記方法は更に、
前記コアネットワークが前記端末のネットワークスライス契約情報を取得していない場合、前記端末にネットワークスライス情報を送信しないことを含む。
【０００８】
本発明の実施例では、前記方法は更に、
前記コアネットワークが前記端末のネットワークスライス契約情報を取得していない場合、前記端末にデフォルトのネットワークスライス情報を送信することを含む。
【０００９】
本発明の実施例では、前記方法は更に、
前記コアネットワークが前記端末のネットワークスライス契約情報を取得していない場合、前記コアネットワークのプリセットポリシーに基づいて、前記端末にネットワークスライス情報を構成することを含む。
【００１０】
本発明の実施例では、前記方法は更に、
前記コアネットワークが前記端末から送信された応答メッセージを受信した場合、前記コアネットワークが前記応答メッセージに基づいて前記端末のサポートしないネットワークスライス情報を決定し、前記応答メッセージには前記端末のサポートしないネットワークスライス情報が含まれることと、
前記コアネットワークが前記端末のサポートしないネットワークスライス情報を記憶することと、
前記コアネットワークが再び前記端末にネットワークスライス情報を構成する場合、前記端末のサポートしないネットワークスライス情報を排除して前記端末にネットワークスライス情報を構成することと、を含む。
【００１１】
本発明の実施例では、前記方法は更に、
前記コアネットワークが前記端末から送信された応答メッセージを受信した場合、前記コアネットワークが、前記応答メッセージに基づいて前記端末のネットワークスライス契約情報にマッチングしないネットワークスライス情報を決定し、前記応答メッセージには前記端末のネットワークスライス契約情報にマッチングしないネットワークスライス情報が含まれることと、
前記コアネットワークは前記端末のネットワークスライス契約情報にマッチングしないネットワークスライス情報を記憶することと、
前記コアネットワークが再び前記端末にネットワークスライス情報を構成する場合、前記端末のネットワークスライス契約情報にマッチングしないネットワークスライス情報を排除して前記端末にネットワークスライス情報を構成することと、を含む。
【００１２】
本発明の実施例に係るネットワークスライスの構成方法は、
端末がコアネットワークから送信されたネットワークスライス情報を受信することと、
前記端末が、前記コアネットワークから送信されたネットワークスライス情報が参照ネットワークスライス情報にマッチングするかどうかを決定することと、
前記コアネットワークから送信されたネットワークスライス情報が参照ネットワークスライス情報にマッチングしない場合、前記端末が前記コアネットワークに応答メッセージを送信し、前記応答メッセージには指示情報が含まれ、前記指示情報は、前記コアネットワークから送信されたネットワークスライス情報が参照ネットワークスライス情報にマッチングしないことを示すことに用いられることと、を含む。
【００１３】
本発明の実施例では、前記応答メッセージには、更に前記端末のサポートしないネットワークスライス情報又は前記端末のネットワークスライス契約情報にマッチングしないネットワークスライス情報が含まれる。
【００１４】
本発明の実施例では、前記端末が、前記コアネットワークから送信されたネットワークスライス情報が参照ネットワークスライス情報にマッチングするかどうかを決定することは、
前記端末が、前記コアネットワークから送信されたネットワークスライス情報が前記端末のサポートするネットワークスライス情報にマッチングするかどうかを決定することを含み、
それに対応して、前記指示情報は、前記コアネットワークから送信されたネットワークスライス情報が前記端末のサポートするネットワークスライス情報にマッチングしないことを示すことに用いられる。
【００１５】
本発明の実施例では、前記端末が、前記コアネットワークから送信されたネットワークスライス情報が参照ネットワークスライス情報にマッチングするかどうかを決定することは、
前記端末が、前記コアネットワークから送信されたネットワークスライス情報が前記端末のネットワークスライス契約情報にマッチングするかどうかを決定することを含み、
それに対応して、前記指示情報は、前記コアネットワークから送信されたネットワークスライス情報が前記端末のネットワークスライス契約情報にマッチングしないことを示すことに用いられる。
【００１６】
本発明の実施例に係るネットワークスライスの構成方法は、
端末がコアネットワークから送信されたネットワークスライス情報を受信することと、
前記端末が、前記コアネットワークから送信されたネットワークスライス情報が参照ネットワークスライス情報にマッチングするかどうかを決定することと、
前記コアネットワークから送信されたネットワークスライス情報が参照ネットワークスライス情報にマッチングしない場合、前記参照ネットワークスライス情報にマッチングしないネットワークスライス情報を記憶することと、
前記端末が前記コアネットワークにネットワークスライス要求メッセージを送信する場合、前記ネットワークスライス要求メッセージにおいて、要求されるネットワークスライス情報から、前記参照ネットワークスライス情報にマッチングしないネットワークスライス情報を排除する必要があることを指示することと、を含む。
【００１７】
本発明の実施例では、前記端末が、前記コアネットワークから送信されたネットワークスライス情報が参照ネットワークスライス情報にマッチングするかどうかを決定することは、
前記端末が、前記コアネットワークから送信されたネットワークスライス情報が前記端末のサポートするネットワークスライス情報にマッチングするかどうかを決定することを含み、
それに対応して、前記ネットワークスライス要求メッセージにおいて、要求されるネットワークスライス情報から、前記端末のサポートするネットワークスライス情報にマッチングしないネットワークスライス情報を排除する必要があることを指示する。
【００１８】
本発明の実施例では、前記端末が、前記コアネットワークから送信されたネットワークスライス情報が参照ネットワークスライス情報にマッチングするかどうかを決定することは、
前記端末が、前記コアネットワークから送信されたネットワークスライス情報が前記端末のネットワークスライス契約情報にマッチングするかどうかを決定することを含み、
それに対応して、前記ネットワークスライス要求メッセージにおいて、要求されるネットワークスライス情報から、前記端末のネットワークスライス契約情報にマッチングしないネットワークスライス情報を排除する必要があることを指示する。
【００１９】
本発明の実施例に係るネットワークスライスの構成装置は、
端末のネットワークスライス契約情報を取得するように設定される取得ユニットと、
前記ネットワークスライス契約情報に基づいて、前記端末にネットワークスライス情報を構成するように設定される構成ユニットと、
構成されたネットワークスライス情報を前記端末に送信するように設定される送信ユニットと、を備える。
【００２０】
本発明の実施例では、前記送信ユニットは更に、前記コアネットワークが前記端末のネットワークスライス契約情報を取得していない場合、前記端末にネットワークスライス情報を送信しないように設定される。
【００２１】
本発明の実施例では、前記送信ユニットは更に、前記コアネットワークが前記端末のネットワークスライス契約情報を取得していない場合、前記端末にデフォルトのネットワークスライス情報を送信するように設定される。
【００２２】
本発明の実施例では、前記構成ユニットは更に、前記コアネットワークが前記端末のネットワークスライス契約情報を取得していない場合、前記コアネットワークのプリセットポリシーに基づいて、前記端末にネットワークスライス情報を構成するように設定される。
【００２３】
本発明の実施例では、前記装置は更に、
前記端末から送信された、前記端末のサポートしないネットワークスライス情報が含まれる応答メッセージを受信するように設定される受信ユニットと、
前記応答メッセージに基づいて前記端末のサポートしないネットワークスライス情報を決定するように設定される決定ユニットと、
前記端末のサポートしないネットワークスライス情報を記憶するように設定される記憶ユニットと、を備え、
前記構成ユニットは更に、再び前記端末にネットワークスライス情報を構成する場合、前記端末のサポートしないネットワークスライス情報を排除して前記端末にネットワークスライス情報を構成するように設定される。
【００２４】
本発明の実施例では、前記装置は更に、
前記端末から送信された、前記端末のネットワークスライス契約情報にマッチングしないネットワークスライス情報が含まれる応答メッセージを受信するように設定される受信ユニットと、
前記応答メッセージに基づいて前記端末のネットワークスライス契約情報にマッチングしないネットワークスライス情報を決定するように設定される決定ユニットと、
前記端末のネットワークスライス契約情報にマッチングしないネットワークスライス情報を記憶するように設定される記憶ユニットと、を備え、
前記構成ユニットは更に、再び前記端末にネットワークスライス情報を構成する場合、前記端末のネットワークスライス契約情報にマッチングしないネットワークスライス情報を排除して前記端末にネットワークスライス情報を構成するように設定される。
【００２５】
本発明の実施例に係るネットワークスライスの構成装置は、
コアネットワークから送信されたネットワークスライス情報を受信するように設定される受信ユニットと、
前記コアネットワークから送信されたネットワークスライス情報が参照ネットワークスライス情報にマッチングするかどうかを決定するように設定される判断ユニットと、
前記コアネットワークから送信されたネットワークスライス情報が参照ネットワークスライス情報にマッチングしない場合、前記端末が前記コアネットワークに応答メッセージを送信するように設定され、前記応答メッセージには指示情報が含まれ、前記指示情報は前記コアネットワークから送信されたネットワークスライス情報が参照ネットワークスライス情報にマッチングしないことを示すことに用いられる応答ユニットと、を備える。
【００２６】
本発明の実施例では、前記応答メッセージには、更に前記端末のサポートしないネットワークスライス情報又は前記端末のネットワークスライス契約情報にマッチングしないネットワークスライス情報が含まれる。
【００２７】
本発明の実施例では、前記判断ユニットは具体的に、前記コアネットワークから送信されたネットワークスライス情報が前記端末のサポートするネットワークスライス情報にマッチングするかどうかを決定するように設定され、
それに対応して、前記指示情報は、前記コアネットワークから送信されたネットワークスライス情報が前記端末のサポートするネットワークスライス情報にマッチングしないことを示すことに用いられる。
【００２８】
本発明の実施例では、前記判断ユニットは具体的に、前記コアネットワークから送信されたネットワークスライス情報が前記端末のネットワークスライス契約情報にマッチングするかどうかを決定するように設定され、
それに対応して、前記指示情報は、前記コアネットワークから送信されたネットワークスライス情報が前記端末のネットワークスライス契約情報にマッチングしないことを示すことに用いられる。
【００２９】
本発明の実施例に係るネットワークスライスの構成装置は、
コアネットワークから送信されたネットワークスライス情報を受信するように設定される受信ユニットと、
前記コアネットワークから送信されたネットワークスライス情報が参照ネットワークスライス情報にマッチングするかどうかを決定するように設定される判断ユニットと、
前記コアネットワークから送信されたネットワークスライス情報が参照ネットワークスライス情報にマッチングしない場合、前記参照ネットワークスライス情報にマッチングしないネットワークスライス情報を記憶するように設定される記憶ユニットと、
前記コアネットワークにネットワークスライス要求メッセージを送信する場合、前記ネットワークスライス要求メッセージにおいて、要求されるネットワークスライス情報から、前記参照ネットワークスライス情報にマッチングしないネットワークスライス情報を排除する必要があることを指示するように設定される要求ユニットと、を備える。
【００３０】
本発明の実施例では、前記判断ユニットは具体的に、前記コアネットワークから送信されたネットワークスライス情報が前記端末のサポートするネットワークスライス情報にマッチングするかどうかを決定するように設定され、
それに対応して、前記ネットワークスライス要求メッセージにおいて、要求されるネットワークスライス情報から、前記端末のサポートするネットワークスライス情報にマッチングしないネットワークスライス情報を排除する必要があることを指示する。
【００３１】
本発明の実施例では、前記判断ユニットは具体的に、前記コアネットワークから送信されたネットワークスライス情報が前記端末のネットワークスライス契約情報にマッチングするかどうかを決定するように設定され、
それに対応して、前記ネットワークスライス要求メッセージにおいて、要求されるネットワークスライス情報から、前記端末のネットワークスライス契約情報にマッチングしないネットワークスライス情報を排除する必要があることを指示する。
【００３２】
本発明の実施例に係るコンピュータ記憶媒体には、コンピュータ実行可能命令が記憶され、該コンピュータ実行可能命令がプロセッサにより実行されるとき、上記ネットワークスライスの構成方法を実現する。
【発明の効果】
【００３３】
本発明の実施例の技術案によれば、コアネットワークは端末のネットワークスライス契約情報を取得し、前記コアネットワークは前記ネットワークスライス契約情報に基づいて、前記端末にネットワークスライス情報を構成し、前記コアネットワークは前記端末に、構成されたネットワークスライス情報を送信する。本発明の実施例の技術案を用いることにより、端末にネットワークスライスを合理的に構成することができ、それにより端末はより良いネットワークサービスを取得することができる。
【図面の簡単な説明】
【００３４】
ここで説明される図面は本発明を更に理解するためのものであり、本願の一部となり、本発明の模式的な実施例及びその説明は本発明を解釈するためのものであり、本発明を不当に制限するためのものではない。図面は下記通りである。
【図１】図１はネットワークスライスの模式図１である。
【図２】図２はネットワークスライスの模式図２である。
【図３】図３はネットワークスライスの模式図３である。
【図４】図４はネットワークスライスの模式図４である。
【図５】図５は本発明の実施例のネットワークスライスの構成方法の模式的なフローチャート１である。
【図６】図６は本発明の実施例のネットワークスライスの構成方法の模式的なフローチャート２である。
【図７】図７は本発明の実施例のネットワークスライスの構成方法の模式的なフローチャート３である。
【図８】図８は本発明の実施例のネットワークスライスの構成装置の構造模式図１である。
【図９】図９は本発明の実施例のネットワークスライスの構成装置の構造模式図２である。
【図１０】図１０は本発明の実施例のネットワークスライスの構成装置の構造模式図３である。
【図１１】図１１は本発明の実施例の端末の構造模式図である。
【発明を実施するための形態】
【００３５】
本発明の実施例の特徴及び技術的内容を更に詳しく理解するために、以下に図面を参照しながら本発明の実施例の実現を詳しく説明し、添付の図面は参照・説明のためのものであり、本発明の実施例を制限するためのものではない。
【００３６】
本発明の実施例の技術案を理解しやすくするために、以下に５Ｇシステムにおけるネットワークスライス技術を説明する。
【００３７】
１）５Ｇにネットワークスライスを導入する理由
従来のモバイルネットワークから現在の４Ｇネットワークまで、モバイルネットワークは主にモバイル携帯電話にサービスを提供するため、ネットワークは一般的に携帯電話のために最適化する。ところが、５Ｇ時代では、モバイルネットワークは様々なタイプ及び要件の装置にサービスを提供する必要がある。５Ｇに関わる多くの応用シーンはモバイルブロードバンド（Ｍｏｂｉｌｅ  Ｂｒｏａｄｂａｎｄ）、大規模ユビキタスネットワーク（Ｍａｓｓｉｖｅ  ＩｏＴ）、ミッションクリティカルなユビキタスネットワーク（Ｍｉｓｓｉｏｎ−ｃｒｉｔｉｃａｌ  ＩｏＴ）を含む。これらのシーンは様々なタイプのネットワークを必要とするが、モビリティ、課金、安全、ポリシー制御、遅延、信頼性等の面で様々な異なる要件がある。
【００３８】
例えば、１つの大規模ユビキタスネットワークサービスは、固定センサに接続して、温度、湿度、降雨量等を測定する。モバイルネットワークにおける主に携帯電話にサービスを提供する切り替え、位置更新等の特性を必要としない。また、自動運転及び遠隔操作ロボット等のようなミッションクリティカルなユビキタスネットワークサービスは、数ミリ秒のエンドツーエンド遅延を必要とし、モバイルブロードバンドサービスと異なる。
【００３９】
これは、各サービスに１つの専用ネットワークを構築し、例えば、１つが５Ｇ携帯電話にサービスを提供し、１つが５Ｇ大規模ユビキタスネットワークにサービスを提供し、１つが５Ｇミッションクリティカルなユビキタスネットワークにサービスを提供する必要があることを意味するか。実は、必要がないのであり、その理由は、図１及び図２に示すように、ネットワークスライス技術によって、１つの独立する物理ネットワークから複数の論理ネットワークを分割してもよいためであり、これによりコストを大幅に節約することができる。
【００４０】
２）エンドツーエンドネットワークスライスの実現
エンドツーエンドネットワークスライスの実現については、主に５Ｇの無線アクセスネットワーク（ＲＡＮ、Ｒａｄｉｏ  Ａｃｃｅｓｓ  Ｎｅｔｗｏｒｋ）及びコアネットワーク（Ｃｏｒｅ）にネットワーク機能仮想化（ＮＦＶ、Ｎｅｔｗｏｒｋ  Ｆｕｎｃｔｉｏｎ  Ｖｉｒｔｕａｌｉｚａｔｉｏｎ）技術を導入する。
【００４１】
図３に示すように、（１）、現在のネットワークにおいて、主な装置は携帯電話である。ＲＡＮ（デジタルユニット（ＤＵ）及び無線周波数ユニット（ＲＵ））及びコア機能は、メーカーの提供する専用ネットワーク装置により構築される。（２）、ネットワークスライスを実現するために、ＮＦＶ技術に入る必要があり、ＮＦＶの要旨は、ネットワーク機能ソフトウェア（即ち、パケットコアにおけるＭＭＥ、Ｓ／Ｐ−ＧＷ及びＰＣＲＦ並びにＲＡＮにおけるＤＵ）をその専用ネットワーク装置に独立して配置せずに、いずれもコマースサーバにおける仮想マシン（ＶＭ）に配置することである。このように、ＲＡＮはエッジクラウド（Ｅｄｇｅ  Ｃｌｏｕｄ）とされるが、コア機能はコアクラウド（Ｃｏｒｅ  Ｃｌｏｕｄ）とされる。エッジクラウド及びコアクラウドにあるＶＭ間の接続は、ソフトウェア定義型ネットワーク（ＳＤＮ、Ｓｏｆｔｗａｒｅ  Ｄｅｆｉｎｅｄ  Ｎｅｔｗｏｒｋ）を使用して構成される。（３）、次に、各サービス（即ち、電話スライス、大規模ユビキタスネットワークスライス、ミッションクリティカルなユビキタスネットワークスライス等）にネットワークスライスを作成する。
【００４２】
図４は各サービス専用のアプリケーションプログラムをどのように仮想化して各スライスにインストールするかを示す。例えば、スライスは以下のように構成されてもよい。
【００４３】
（１）超高解像度（ＵＨＤ、Ｕｌｔｒａ  Ｈｉｇｈ  Ｄｅｆｉｎｉｔｉｏｎ）スライス（Ｓｌｉｃｅ）
エッジクラウドにおいてＤＵ、５Ｇコア（ユーザープレーン（ＵＰ））及びキャッシュサーバ（Ｃａｃｈｅ）を仮想化し、コアクラウドにおいて５Ｇコア（コントロールプレーン（ＣＰ））及びＭＶＯサーバを仮想化する。
【００４４】
（２）電話スライス（Ｐｈｏｎｅ  Ｓｌｉｃｅ）
コアクラウドにおいてフルモバイル機能を有する５Ｇコア（ＵＰ及びＣＰ）及びＩＭＳサーバを仮想化する。
【００４５】
（３）大規模ユビキタスネットワークスライス（Ｍａｓｓｉｖｅ  ＩｏＴ  Ｓｌｉｃｅ）（例えば、センサネットワーク）
コアクラウドにおいて１つの簡単で軽便な５Ｇコアを仮想化し、該５Ｇコアはモビリティ管理機能を有しない。
【００４６】
（４）ミッションクリティカルなユビキタスネットワークスライス（Ｍｉｓｓｉｏｎ−ｃｒｉｔｉｃａｌ  ＩｏＴ  Ｓｌｉｃｅ）
エッジクラウドにおいて５Ｇコア（ＵＰ）及び関連サーバ（例えば、Ｖ２Ｘサーバ）を仮想化し、伝送遅延の最小化に用いられる。
【００４７】
５Ｇは様々な要件を有するサービスに専用スライスを作成して、様々なサービス特性に応じて仮想ネットワーク機能を各スライスにおける異なる位置（即ち、エッジクラウド又はコアクラウド）に配置する必要がある。また、いくつかのネットワーク機能、例えば課金、ポリシー制御等は、あるスライスにおいて必要とされている可能性があるが、他のネットワークスライスにおいて必要とされていない。通信事業者は所望の方式でネットワークスライスをカスタマイズすることができる。
【００４８】
図５は本発明の実施例のネットワークスライスの構成方法の模式的なフローチャート１であり、図５に示すように、前記ネットワークスライスの構成方法は以下のステップ５０１〜５０３を含む。
【００４９】
ステップ５０１、コアネットワークは端末のネットワークスライス契約情報を取得する。
【００５０】
一実施形態では、ネットワークスライス契約情報とは、端末の契約したネットワークスライスの識別情報を指す。異なるネットワークスライスは端末に異なるサービスを提供することができる。
【００５１】
本発明の実施例では、ネットワークスライス契約情報は１つのデータベースに記憶されており、コアネットワークは該データベースからある端末のネットワークスライス契約情報を呼び出すことができる。
【００５２】
ステップ５０２、前記コアネットワークは前記ネットワークスライス契約情報に基づいて、前記端末にネットワークスライス情報を構成する。
【００５３】
本発明の実施例では、コアネットワークは端末にネットワークスライス契約情報にマッチングするネットワークスライス情報を構成する。
【００５４】
一実施形態では、ネットワークスライス契約情報にマッチングするネットワークスライス情報は１つであってもよく、他の実施形態では、ネットワークスライス契約情報にマッチングするネットワークスライス情報は複数であってもよい。
【００５５】
ステップ５０３、前記コアネットワークは前記端末に、構成されたネットワークスライス情報を送信する。
【００５６】
本発明の実施例の方法は更に以下のステップ５０４〜５０６を含む。
【００５７】
ステップ５０４、前記コアネットワークが前記端末のネットワークスライス契約情報を取得していない場合、前記端末にネットワークスライス情報を送信しない。
【００５８】
ステップ５０５、前記コアネットワークが前記端末のネットワークスライス契約情報を取得していない場合、前記端末にデフォルトのネットワークスライス情報を送信する。
【００５９】
ステップ５０６、前記コアネットワークが前記端末のネットワークスライス契約情報を取得していない場合、前記コアネットワークのプリセットポリシーに基づいて、前記端末にネットワークスライス情報を構成し、ステップ５０３を実行する。
【００６０】
当業者であれば理解できるように、上記ステップ５０４、ステップ５０５、ステップ５０６及びステップ５０２は実行順序を制限しない。
【００６１】
一実施形態では、前記コアネットワークが前記端末から送信された応答メッセージを受信した場合、前記コアネットワークは前記応答メッセージに基づいて前記端末のサポートしないネットワークスライス情報を決定し、前記応答メッセージには前記端末のサポートしないネットワークスライス情報が含まれ、前記コアネットワークは前記端末のサポートしないネットワークスライス情報を記憶し、前記コアネットワークが再び前記端末にネットワークスライス情報を構成する場合、前記端末のサポートしないネットワークスライス情報を排除して前記端末にネットワークスライス情報を構成する。
【００６２】
他の実施形態では、前記コアネットワークが前記端末から送信された応答メッセージを受信した場合、前記コアネットワークは、前記応答メッセージに基づいて前記端末のネットワークスライス契約情報にマッチングしないネットワークスライス情報を決定し、前記応答メッセージには前記端末のネットワークスライス契約情報にマッチングしないネットワークスライス情報が含まれ、前記コアネットワークは前記端末のネットワークスライス契約情報にマッチングしないネットワークスライス情報を記憶し、前記コアネットワークが再び前記端末にネットワークスライス情報を構成する場合、前記端末のネットワークスライス契約情報にマッチングしないネットワークスライス情報を排除して前記端末にネットワークスライス情報を構成する。
【００６３】
図６は本発明の実施例のネットワークスライスの構成方法の模式的なフローチャート２であり、図６に示すように、前記ネットワークスライスの構成方法は、
端末がコアネットワークから送信されたネットワークスライス情報を受信するステップ６０１と、
前記端末が、前記コアネットワークから送信されたネットワークスライス情報が参照ネットワークスライス情報にマッチングするかどうかを決定するステップ６０２と、
前記コアネットワークから送信されたネットワークスライス情報が参照ネットワークスライス情報にマッチングしない場合、前記端末が前記コアネットワークに応答メッセージを送信し、前記応答メッセージには指示情報が含まれ、前記指示情報は、前記コアネットワークから送信されたネットワークスライス情報が参照ネットワークスライス情報にマッチングしないことを示すことに用いられるステップ６０３と、を含む。
【００６４】
本発明の実施例では、前記応答メッセージには、更に前記端末のサポートしないネットワークスライス情報又は前記端末のネットワークスライス契約情報にマッチングしないネットワークスライス情報が含まれる。
【００６５】
一実施形態では、前記端末が、前記コアネットワークから送信されたネットワークスライス情報が参照ネットワークスライス情報にマッチングするかどうかを決定することは、
前記端末が、前記コアネットワークから送信されたネットワークスライス情報が前記端末のサポートするネットワークスライス情報にマッチングするかどうかを決定することを含み、
それに対応して、前記指示情報は、前記コアネットワークから送信されたネットワークスライス情報が前記端末のサポートするネットワークスライス情報にマッチングしないことを示すことに用いられる。
【００６６】
他の実施形態では、前記端末が、前記コアネットワークから送信されたネットワークスライス情報が参照ネットワークスライス情報にマッチングするかどうかを決定することは、
前記端末が、前記コアネットワークから送信されたネットワークスライス情報が前記端末のネットワークスライス契約情報にマッチングするかどうかを決定することを含み、
それに対応して、前記指示情報は、前記コアネットワークから送信されたネットワークスライス情報が前記端末のネットワークスライス契約情報にマッチングしないことを示すことに用いられる。
【００６７】
図７は本発明の実施例のネットワークスライスの構成方法の模式的なフローチャート３であり、図７に示すように、前記ネットワークスライスの構成方法は、
端末がコアネットワークから送信されたネットワークスライス情報を受信するステップ７０１と、
前記端末が、前記コアネットワークから送信されたネットワークスライス情報が参照ネットワークスライス情報にマッチングするかどうかを決定するステップ７０２と、
前記コアネットワークから送信されたネットワークスライス情報が参照ネットワークスライス情報にマッチングしない場合、前記参照ネットワークスライス情報にマッチングしないネットワークスライス情報を記憶するステップ７０３と、
前記端末が前記コアネットワークにネットワークスライス要求メッセージを送信する場合、前記ネットワークスライス要求メッセージにおいて、要求されるネットワークスライス情報から、前記参照ネットワークスライス情報にマッチングしないネットワークスライス情報を排除する必要があることを指示するステップ７０４と、を含む。
【００６８】
一実施形態では、前記端末が、前記コアネットワークから送信されたネットワークスライス情報が参照ネットワークスライス情報にマッチングするかどうかを決定することは、
前記端末が、前記コアネットワークから送信されたネットワークスライス情報が前記端末のサポートするネットワークスライス情報にマッチングするかどうかを決定することを含み、
それに対応して、前記ネットワークスライス要求メッセージにおいて、要求されるネットワークスライス情報から、前記端末のサポートするネットワークスライス情報にマッチングしないネットワークスライス情報を排除する必要があることを指示する。
【００６９】
他の実施形態では、前記端末が、前記コアネットワークから送信されたネットワークスライス情報が参照ネットワークスライス情報にマッチングするかどうかを決定することは、
前記端末が、前記コアネットワークから送信されたネットワークスライス情報が前記端末のネットワークスライス契約情報にマッチングするかどうかを決定することを含み、
それに対応して、前記ネットワークスライス要求メッセージにおいて、要求されるネットワークスライス情報から、前記端末のネットワークスライス契約情報にマッチングしないネットワークスライス情報を排除する必要があることを指示する。
【００７０】
図８は本発明の実施例のネットワークスライスの構成装置の構造模式図１であり、図８に示すように、前記装置は、
端末のネットワークスライス契約情報を取得するように設定される取得ユニット８０１と、
前記ネットワークスライス契約情報に基づいて、前記端末にネットワークスライス情報を構成するように設定される構成ユニット８０２と、
構成されたネットワークスライス情報を前記端末に送信するように設定される送信ユニット８０３と、を備える。
【００７１】
一実施形態では、前記送信ユニット８０３は更に、前記コアネットワークが前記端末のネットワークスライス契約情報を取得していない場合、前記端末にネットワークスライス情報を送信しないように設定される。
【００７２】
一実施形態では、前記送信ユニット８０３は更に、前記コアネットワークが前記端末のネットワークスライス契約情報を取得していない場合、前記端末にデフォルトのネットワークスライス情報を送信するように設定される。
【００７３】
一実施形態では、前記構成ユニット８０２は更に、前記コアネットワークが前記端末のネットワークスライス契約情報を取得していない場合、前記コアネットワークのプリセットポリシーに基づいて、前記端末にネットワークスライス情報を構成するように設定される。
【００７４】
一実施形態では、前記装置は更に、
前記端末から送信された、前記端末のサポートしないネットワークスライス情報が含まれる応答メッセージを受信するように設定される受信ユニット８０４と、
前記応答メッセージに基づいて、前記端末のサポートしないネットワークスライス情報を決定するように設定される決定ユニット８０５と、
前記端末のサポートしないネットワークスライス情報を記憶するように設定される記憶ユニット８０６と、を備え、
前記構成ユニット８０２は更に、再び前記端末にネットワークスライス情報を構成する場合、前記端末のサポートしないネットワークスライス情報を排除して前記端末にネットワークスライス情報を構成するように設定される。
【００７５】
一実施形態では、前記装置は更に、
前記端末から送信された、前記端末のネットワークスライス契約情報にマッチングしないネットワークスライス情報が含まれる応答メッセージを受信するように設定される受信ユニット８０４と、
前記応答メッセージに基づいて、前記端末のネットワークスライス契約情報にマッチングしないネットワークスライス情報を決定するように設定される決定ユニット８０５と、
前記端末のネットワークスライス契約情報にマッチングしないネットワークスライス情報を記憶するように設定される記憶ユニット８０６と、を備え、
前記構成ユニット８０２は更に、再び前記端末にネットワークスライス情報を構成する場合、前記端末のネットワークスライス契約情報にマッチングしないネットワークスライス情報を排除して前記端末にネットワークスライス情報を構成するように設定される。
【００７６】
当業者であれば理解できるように、図８に示されるネットワークスライスの構成装置における各ユニットの実現機能については、上記ネットワークスライスの構成方法の関連説明を参照して理解することができる。図８に示されるネットワークスライスの構成装置における各ユニットの機能は、プロセッサにおいて実行されるプログラムにより実現されてもよく、具体的な論理回路により実現されてもよい。
【００７７】
図９は本発明の実施例のネットワークスライスの構成装置の構造模式図２であり、図９に示すように、前記装置は、
コアネットワークから送信されたネットワークスライス情報を受信するように設定される受信ユニット９０１と、
前記コアネットワークから送信されたネットワークスライス情報が参照ネットワークスライス情報にマッチングするかどうかを決定するように設定される判断ユニット９０２と、
前記コアネットワークから送信されたネットワークスライス情報が参照ネットワークスライス情報にマッチングしない場合、前記端末が前記コアネットワークに応答メッセージを送信するように設定され、前記応答メッセージには指示情報が含まれ、前記指示情報は前記コアネットワークから送信されたネットワークスライス情報が参照ネットワークスライス情報にマッチングしないことを示すことに用いられる応答ユニット９０３と、を備える。
【００７８】
本発明の実施例では、前記応答メッセージには、更に前記端末のサポートしないネットワークスライス情報又は前記端末のネットワークスライス契約情報にマッチングしないネットワークスライス情報が含まれる。
【００７９】
一実施形態では、前記判断ユニット９０２は具体的に、前記コアネットワークから送信されたネットワークスライス情報が前記端末のサポートするネットワークスライス情報にマッチングするかどうかを決定するように設定され、
それに対応して、前記指示情報は、前記コアネットワークから送信されたネットワークスライス情報が前記端末のサポートするネットワークスライス情報にマッチングしないことを示すことに用いられる。
【００８０】
一実施形態では、前記判断ユニット９０２は具体的に、前記コアネットワークから送信されたネットワークスライス情報が前記端末のネットワークスライス契約情報にマッチングするかどうかを決定するように設定され、
それに対応して、前記指示情報は、前記コアネットワークから送信されたネットワークスライス情報が前記端末のネットワークスライス契約情報にマッチングしないことを示すことに用いられる。
【００８１】
当業者であれば理解できるように、図９に示されるネットワークスライスの構成装置における各ユニットの実現機能については、上記ネットワークスライスの構成方法の関連説明を参照して理解することができる。図９に示されるネットワークスライスの構成装置における各ユニットの機能は、プロセッサにおいて実行されるプログラムにより実現されてもよく、具体的な論理回路により実現されてもよい。
【００８２】
図１０は本発明の実施例のネットワークスライスの構成装置の構造模式図３であり、図１０に示すように、前記装置は、
コアネットワークから送信されたネットワークスライス情報を受信するように設定される受信ユニット１００１と、
前記コアネットワークから送信されたネットワークスライス情報が参照ネットワークスライス情報にマッチングするかどうかを決定するように設定される判断ユニット１００２と、
前記コアネットワークから送信されたネットワークスライス情報が参照ネットワークスライス情報にマッチングしない場合、前記参照ネットワークスライス情報にマッチングしないネットワークスライス情報を記憶するように設定される記憶ユニット１００３と、
前記コアネットワークにネットワークスライス要求メッセージを送信する場合、前記ネットワークスライス要求メッセージにおいて、要求されるネットワークスライス情報から、前記参照ネットワークスライス情報にマッチングしないネットワークスライス情報を排除する必要があることを指示するように設定される要求ユニット１００４と、を備える。
【００８３】
一実施形態では、前記判断ユニット１００２は具体的に、前記コアネットワークから送信されたネットワークスライス情報が前記端末のサポートするネットワークスライス情報にマッチングするかどうかを決定するように設定され、
それに対応して、前記ネットワークスライス要求メッセージにおいて、要求されるネットワークスライス情報から、前記端末のサポートするネットワークスライス情報にマッチングしないネットワークスライス情報を排除する必要があることを指示する。
【００８４】
一実施形態では、前記判断ユニット１００２は具体的に、前記コアネットワークから送信されたネットワークスライス情報が前記端末のネットワークスライス契約情報にマッチングするかどうかを決定するように設定され、
それに対応して、前記ネットワークスライス要求メッセージにおいて、要求されるネットワークスライス情報から、前記端末のネットワークスライス契約情報にマッチングしないネットワークスライス情報を排除する必要があることを指示する。
【００８５】
本発明の実施例の上記ネットワークスライスの構成装置はソフトウェア機能モジュールの形式で実現され、独立した製品として販売又は使用されるときは、１つのコンピュータ可読記憶媒体に記憶されてもよい。このような理解に基づいて、本発明の実施例の技術案の本質的又は従来技術に貢献する部分はソフトウェア製品の形式で具現されてもよく、該コンピュータソフトウェア製品は１つの記憶媒体に記憶され、１台のコンピュータ装置（パーソナルコンピュータ、サーバ又はネットワーク装置等であってもよい）に本発明の各実施例に記載の方法の全部又は一部を実行させるための若干の命令を含む。そして、上記記憶媒体はＵＳＢメモリ、ポータブルハードディスク、読み出し専用メモリ（ＲＯＭ、Ｒｅａｄ  Ｏｎｌｙ  Ｍｅｍｏｒｙ）、磁気ディスク又は光ディスク等のプログラムコードを記憶できる様々な媒体を含む。このように、本発明の実施例はいかなる特定のハードウェア及びソフトウェアの組み合わせに制限されるものではない。
【００８６】
それに対応して、本発明の実施例は更にコンピュータ記憶媒体を提供し、コンピュータ実行可能命令が記憶され、該コンピュータ実行可能命令がプロセッサにより実行されるとき、本発明の実施例の上記ネットワークスライスの構成方法を実現する。
【００８７】
図１１は本発明の実施例の端末の構造模式図であり、図１１に示すように、端末１１０は１つ又は複数の（図中に１つのみを示す）プロセッサ１１０２（プロセッサ１１０２はマイクロコントローラユニット（ＭＣＵ、Ｍｉｃｒｏ  Ｃｏｎｔｒｏｌｌｅｒ  Ｕｎｉｔ）又はフィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）等の処理装置を含んでもよいが、それらに限らない）、データを記憶するためのメモリ１１０４、及び通信機能のための伝送装置１１０６を備えてもよい。当業者であれば理解できるように、図１１に示される構造は模式的なものであって、上記電子装置の構造を制限するためのものではない。例えば、端末１１０は更に図１１より多く又は少ないコンポーネントを備え、又は図１１と異なる構造を有してもよい。
【００８８】
メモリ１１０４はアプリケーションソフトウェアのソフトウェアプログラム及びモジュール、例えば本発明の実施例におけるネットワークスライスの構成方法に対応するプログラム命令／モジュールを記憶することに用いられてもよく、プロセッサ１１０２はメモリ１１０４に記憶されるソフトウェアプログラム及びモジュールを実行することにより、様々な機能アプリケーション及びデータ処理を実行し、すなわち上記方法を実現する。メモリ１１０４は高速ランダムアクセスメモリを含んでもよく、更に不揮発性メモリ、例えば１つ又は複数の磁気記憶装置、フラッシュメモリ又は他の不揮発性固体メモリを含んでもよい。いくつかの実例では、メモリ１１０４は更にプロセッサ１１０２に対して遠隔設置されるメモリを含んでもよく、これらの遠隔メモリはネットワーク経由で端末１１０に接続できる。上記ネットワークの実例はインターネット、イントラネット、ローカルエリアネットワーク、移動通信ネットワーク及びそれらの組み合わせを含むが、それらに限らない。
【００８９】
伝送装置１１０６は１つのネットワーク経由でデータを送受信することに用いられる。上記ネットワークの具体的な実例は端末１１０の通信プロバイダの提供する無線ネットワークを含んでもよい。一実例では、伝送装置１１０６は基地局によって他のネットワーク装置に接続されてインターネットと通信することができる１つのネットワークインターフェースコントローラ（ＮＩＣ、Ｎｅｔｗｏｒｋ  Ｉｎｔｅｒｆａｃｅ  Ｃｏｎｔｒｏｌｌｅｒ）を備える。一実例では、伝送装置１１０６は無線方式でインターネットと通信するための無線周波数（ＲＦ、Ｒａｄｉｏ  Ｆｒｅｑｕｅｎｃｙ）モジュールであってもよい。
【００９０】
衝突しない限り、本発明の実施例に記載の技術案は任意に組み合わせられてもよい。
【００９１】
本発明に係るいくつかの実施例では、理解されるように、開示される方法及びスマートデバイスは他の方式で実現されてもよい。以上に説明される装置実施例は模式的なものに過ぎず、例えば、前記ユニットの区分は論理機能での区分に過ぎず、実際に実現するとき、他の区分方式があってもよく、例えば複数のユニット又はコンポーネントは他のシステムに結合又は統合されてもよく、又はいくつかの特徴は省略したり、実行しなかったりしてもよい。また、表示又は検討される各構成部分間の結合又は直接結合又は通信接続はいくつかのインターフェース、装置又はユニットによる間接結合又は通信接続であってもよく、電気、機械又は他の形式であってもよい。
【００９２】
分離部材として説明される上記ユニットは物理的に分離してもよく、物理的に分離しなくてもよく、ユニットとして表示される部材は物理ユニットであってもよく、物理ユニットでなくてもよく、すなわち、一箇所に位置してもよく、複数のネットワークユニットに配置されてもよい。実際の必要に応じて、その一部又は全部のユニットを選択して本実施例の方案の目的を実現してもよい。
【００９３】
また、本発明の各実施例では、各機能ユニットはいずれも１つの第２処理ユニットに統合されてもよく、各ユニットはそれぞれ独立して１つのユニットとされてもよく、２つ又は２つ以上のユニットは１つのユニットに統合されてもよく、上記統合されたユニットはハードウェアの形式で実現されてもよく、ハードウェアプラスソフトウェア機能ユニットの形式で実現されてもよい。
【００９４】
以上の説明は本発明の具体的な実施形態に過ぎず、本発明の保護範囲を制限するためのものではなく、当業者が本発明に開示される技術的範囲内に容易に想到し得る変更や置換は、いずれも本発明の保護範囲内に含まれるべきである。
【図１】
2021511688.tif 000003
【図２】
2021511688.tif 000004
【図３】
2021511688.tif 000005
【図４】
2021511688.tif 000006
【図５】
2021511688.tif 000007
【図６】
2021511688.tif 000008
【図７】
2021511688.tif 000009
【図８】
2021511688.tif 000010
【図９】
2021511688.tif 000011
【図１０】
2021511688.tif 000012
【図１１】
2021511688.tif 000013
【手続補正書】
【提出日】令和2年11月9日(2020.11.9)
【手続補正１】
【補正対象書類名】明細書
【補正対象項目名】００７７
【補正方法】変更
【補正の内容】
【００７７】
図９は本発明の実施例のネットワークスライスの構成装置の構造模式図２であり、図９に示すように、前記装置は、
コアネットワークから送信されたネットワークスライス情報を受信するように設定される受信ユニット９０１と、
前記コアネットワークから送信されたネットワークスライス情報が参照ネットワークスライス情報にマッチングするかどうかを決定するように設定される判断ユニット９０２と、
前記コアネットワークから送信されたネットワークスライス情報が参照ネットワークスライス情報にマッチングしない場合、前記コアネットワークに応答メッセージを送信するように設定され、前記応答メッセージには指示情報が含まれ、前記指示情報は前記コアネットワークから送信されたネットワークスライス情報が参照ネットワークスライス情報にマッチングしないことを示すことに用いられる応答ユニット９０３と、を備える。
【手続補正２】
【補正対象書類名】明細書
【補正対象項目名】００９３
【補正方法】変更
【補正の内容】
【００９３】
また、本発明の各実施例では、各機能ユニットはいずれも１つの処理ユニットに統合されてもよく、各ユニットはそれぞれ独立して１つのユニットとされてもよく、２つ又は２つ以上のユニットは１つのユニットに統合されてもよく、上記統合されたユニットはハードウェアの形式で実現されてもよく、ハードウェアプラスソフトウェア機能ユニットの形式で実現されてもよい。
【手続補正３】
【補正対象書類名】特許請求の範囲
【補正対象項目名】全文
【補正方法】変更
【補正の内容】
【特許請求の範囲】
【請求項１】
コアネットワークが端末のネットワークスライス契約情報を取得することと、
前記コアネットワークが前記ネットワークスライス契約情報に基づいて、前記端末にネットワークスライス情報を構成することと、
前記コアネットワークが前記端末に、構成されたネットワークスライス情報を送信することと、を含むネットワークスライスの構成方法。
【請求項２】
前記コアネットワークが前記端末のネットワークスライス契約情報を取得していない場合、前記端末にネットワークスライス情報を送信しないことを更に含む請求項１に記載の方法。
【請求項３】
前記コアネットワークが前記端末のネットワークスライス契約情報を取得していない場合、前記端末にデフォルトのネットワークスライス情報を送信することを更に含む請求項１に記載の方法。
【請求項４】
前記コアネットワークが前記端末のネットワークスライス契約情報を取得していない場合、前記コアネットワークのプリセットポリシーに基づいて、前記端末にネットワークスライス情報を構成することを更に含む請求項１に記載の方法。
【請求項５】
前記コアネットワークが前記端末から送信された応答メッセージを受信した場合、前記コアネットワークが前記応答メッセージに基づいて前記端末のサポートしないネットワークスライス情報を決定し、前記応答メッセージには前記端末のサポートしないネットワークスライス情報が含まれることと、
前記コアネットワークが前記端末のサポートしないネットワークスライス情報を記憶することと、
前記コアネットワークが再び前記端末にネットワークスライス情報を構成する場合、前記端末のサポートしないネットワークスライス情報を排除して前記端末にネットワークスライス情報を構成することと、を更に含む請求項１に記載の方法。
【請求項６】
前記コアネットワークが前記端末から送信された応答メッセージを受信した場合、前記コアネットワークが、前記応答メッセージに基づいて前記端末のネットワークスライス契約情報にマッチングしないネットワークスライス情報を決定し、前記応答メッセージには前記端末のネットワークスライス契約情報にマッチングしないネットワークスライス情報が含まれることと、
前記コアネットワークは前記端末のネットワークスライス契約情報にマッチングしないネットワークスライス情報を記憶することと、
前記コアネットワークが再び前記端末にネットワークスライス情報を構成する場合、前記端末のネットワークスライス契約情報にマッチングしないネットワークスライス情報を排除して前記端末にネットワークスライス情報を構成することと、を更に含む請求項１に記載の方法。
【請求項７】
端末がコアネットワークから送信されたネットワークスライス情報を受信することと、
前記端末が、前記コアネットワークから送信されたネットワークスライス情報が参照ネットワークスライス情報にマッチングするかどうかを決定することと、
前記コアネットワークから送信されたネットワークスライス情報が参照ネットワークスライス情報にマッチングしない場合、前記参照ネットワークスライス情報にマッチングしないネットワークスライス情報を記憶することと、
前記端末が前記コアネットワークにネットワークスライス要求メッセージを送信する場合、前記ネットワークスライス要求メッセージにおいて、要求されるネットワークスライス情報から、前記参照ネットワークスライス情報にマッチングしないネットワークスライス情報を排除する必要があることを指示することと、を含むネットワークスライスの構成方法。
【請求項８】
前記端末が、前記コアネットワークから送信されたネットワークスライス情報が参照ネットワークスライス情報にマッチングするかどうかを決定することは、
前記端末が、前記コアネットワークから送信されたネットワークスライス情報が前記端末のサポートするネットワークスライス情報にマッチングするかどうかを決定することを含み、
それに対応して、前記ネットワークスライス要求メッセージにおいて、要求されるネットワークスライス情報から、前記端末のサポートするネットワークスライス情報にマッチングしないネットワークスライス情報を排除する必要があることを指示する請求項７に記載の方法。
【請求項９】
前記端末が、前記コアネットワークから送信されたネットワークスライス情報が参照ネットワークスライス情報にマッチングするかどうかを決定することは、
前記端末が、前記コアネットワークから送信されたネットワークスライス情報が前記端末のネットワークスライス契約情報にマッチングするかどうかを決定することを含み、
それに対応して、前記ネットワークスライス要求メッセージにおいて、要求されるネットワークスライス情報から、前記端末のネットワークスライス契約情報にマッチングしないネットワークスライス情報を排除する必要があることを指示する請求項７に記載の方法。
【請求項１０】
端末のネットワークスライス契約情報を取得するように設定される取得ユニットと、
前記ネットワークスライス契約情報に基づいて、前記端末にネットワークスライス情報を構成するように設定される構成ユニットと、
構成されたネットワークスライス情報を前記端末に送信するように設定される送信ユニットと、を備えるネットワークスライスの構成装置。
【請求項１１】
前記送信ユニットは更に、コアネットワークが前記端末のネットワークスライス契約情報を取得していない場合、前記端末にネットワークスライス情報を送信しないように設定される請求項１０に記載の装置。
【請求項１２】
前記送信ユニットは更に、コアネットワークが前記端末のネットワークスライス契約情報を取得していない場合、前記端末にデフォルトのネットワークスライス情報を送信するように設定される請求項１０に記載の装置。
【請求項１３】
前記構成ユニットは更に、コアネットワークが前記端末のネットワークスライス契約情報を取得していない場合、前記コアネットワークのプリセットポリシーに基づいて、前記端末にネットワークスライス情報を構成するように設定される請求項１０に記載の装置。
【請求項１４】
前記端末から送信された、前記端末のサポートしないネットワークスライス情報が含まれる応答メッセージを受信するように設定される受信ユニットと、
前記応答メッセージに基づいて、前記端末のサポートしないネットワークスライス情報を決定するように設定される決定ユニットと、
前記端末のサポートしないネットワークスライス情報を記憶するように設定される記憶ユニットと、を更に備え、
前記構成ユニットは更に、再び前記端末にネットワークスライス情報を構成する場合、前記端末のサポートしないネットワークスライス情報を排除して前記端末にネットワークスライス情報を構成するように設定される請求項１０に記載の装置。
【請求項１５】
前記端末から送信された、前記端末のネットワークスライス契約情報にマッチングしないネットワークスライス情報が含まれる応答メッセージを受信するように設定される受信ユニットと、
前記応答メッセージに基づいて、前記端末のネットワークスライス契約情報にマッチングしないネットワークスライス情報を決定するように設定される決定ユニットと、
前記端末のネットワークスライス契約情報にマッチングしないネットワークスライス情報を記憶するように設定される記憶ユニットと、を更に備え、
前記構成ユニットは更に、再び前記端末にネットワークスライス情報を構成する場合、前記端末のネットワークスライス契約情報にマッチングしないネットワークスライス情報を排除して前記端末にネットワークスライス情報を構成するように設定される請求項１０に記載の装置。
【請求項１６】
コアネットワークから送信されたネットワークスライス情報を受信するように設定される受信ユニットと、
前記コアネットワークから送信されたネットワークスライス情報が参照ネットワークスライス情報にマッチングするかどうかを決定するように設定される判断ユニットと、
前記コアネットワークから送信されたネットワークスライス情報が参照ネットワークスライス情報にマッチングしない場合、前記コアネットワークに応答メッセージを送信するように設定され、前記応答メッセージには指示情報が含まれ、前記指示情報は前記コアネットワークから送信されたネットワークスライス情報が参照ネットワークスライス情報にマッチングしないことを示すことに用いられる応答ユニットと、を備えるネットワークスライスの構成装置。
【請求項１７】
前記応答メッセージには、更に前記端末のサポートしないネットワークスライス情報又は前記端末のネットワークスライス契約情報にマッチングしないネットワークスライス情報が含まれる請求項１６に記載の装置。
【請求項１８】
前記判断ユニットは具体的に、前記コアネットワークから送信されたネットワークスライス情報が前記端末のサポートするネットワークスライス情報にマッチングするかどうかを決定するように設定され、
それに対応して、前記指示情報は、前記コアネットワークから送信されたネットワークスライス情報が前記端末のサポートするネットワークスライス情報にマッチングしないことを示すことに用いられる請求項１６に記載の装置。
【請求項１９】
前記判断ユニットは具体的に、前記コアネットワークから送信されたネットワークスライス情報が前記端末のネットワークスライス契約情報にマッチングするかどうかを決定するように構成され、
それに対応して、前記指示情報は、前記コアネットワークから送信されたネットワークスライス情報が前記端末のネットワークスライス契約情報にマッチングしないことを示すことに用いられる請求項１６に記載の装置。
【請求項２０】
コンピュータ記憶媒体であって、
コンピュータ実行可能命令が記憶され、該コンピュータ実行可能命令がプロセッサにより実行されるとき、請求項１〜６のいずれか１項に記載の方法ステップ、又は請求項７〜９のいずれか１項に記載の方法ステップを実現するコンピュータ記憶媒体。
【国際調査報告】
2021511688.tif 000014
2021511688.tif 000015
2021511688.tif 000016
2021511688.tif 000017